(57)【要約】【課題】本発明は、極めて商品価値の高い画期的なヒンジ装置並びにヒンジ装置を用いた電子機器を提供することを目的とする。【解決手段】第一部材１と第二部材２とを枢着するヒンジ装置であって、第一部材１に回り止め状態に連結する第一連結体３にカム部４を設け、第二部材２に回り止め状態に連結する第二連結体５に前記カム部４に係合するカム係合部６を設け、このカム部４とカム係合部６とが係合状態のとき第一部材１と第二部材２とが回動ロックされるように構成し、前記カム係合部６に対して前記カム部４を係合離反方向にスライド移動自在に設けると共に、このカム部４を係合方向に付勢する係合付勢機構７を前記第一連結体３に設け、前記第一部材１と第二部材２との相対回動に伴い、このカム部４とカム係合部６とが係脱可能となるように構成するとともに、このカム部４とカム係合部６とが係合していない状態から係合しようとする相対回動付勢力が生じるように構成したものである。【選択図】　　　　図２
2004068939.tif 000002
【特許請求の範囲】
【請求項１】
第一部材と第二部材とを枢着するヒンジ装置であって、第一部材に回り止め状態に連結する第一連結体にカム部を設け、第二部材に回り止め状態に連結する第二連結体に前記カム部に係合するカム係合部を設け、このカム部とカム係合部とが係合状態のとき第一部材と第二部材とが回動ロックされるように構成し、前記カム係合部に対して前記カム部を係合離反方向にスライド移動自在に設けると共に、このカム部を係合方向に付勢する係合付勢機構を前記第一連結体に設け、前記第一部材と第二部材との相対回動に伴い、このカム部とカム係合部とが係脱可能となるように構成するとともに、このカム部とカム係合部とが係合していない状態から係合しようとする相対回動付勢力が生じるように構成したヒンジ装置において、前記第一連結体を前記カム部を収納し得る筒状体で構成し、この第一連結体の内面長さ方向にカム部の周面部に設けた凸部若しくは凹部が凹凸係止する係止条を設けて、この係止条にガイドされて前記第一連結体内をカム部が回り止め状態で第一連結体の長さ方向にスライド移動自在となるように構成したことを特徴とするヒンジ装置。
【請求項２】
第一部材と第二部材とを枢着するヒンジ装置であって、第一部材に回り止め状態に連結する第一連結体にカム部を設け、第二部材に回り止め状態に連結する第二連結体に前記カム部に係合するカム係合部を設け、このカム部とカム係合部とが係合状態のとき第一部材と第二部材とが回動ロックされるように構成し、前記カム係合部に対して前記カム部を係合離反方向にスライド移動自在に設けると共に、このカム部を係合方向に付勢する係合付勢機構を前記第一連結体に設け、前記第一部材と第二部材との相対回動に伴い、このカム部とカム係合部とが係脱可能となるように構成するとともに、このカム部とカム係合部とが係合していない状態から係合しようとする相対回動付勢力が生じるように構成したヒンジ装置において、前記第二連結体に前記第二部材に設けた取付凹部に回り止め状態に嵌挿連結し得る取付凸部を設け、この取付凸部を前記第二部材の取付凹部の断面形状と合致する断面多角形状として、前記第二部材に対して第二連結体を回り止め状態に連結し得るように構成し、この取付凸部の角部同士の間の周面を凹湾曲面としたことを特徴とするヒンジ装置。
【請求項３】
第一部材と第二部材とを枢着するヒンジ装置であって、第一部材に回り止め状態に連結する第一連結体にカム部を設け、第二部材に回り止め状態に連結する第二連結体に前記カム部に係合するカム係合部を設け、このカム部とカム係合部とが係合状態のとき第一部材と第二部材とが回動ロックされるように構成し、前記カム係合部に対して前記カム部を係合離反方向にスライド移動自在に設けると共に、このカム部を係合方向に付勢する係合付勢機構を前記第一連結体に設け、前記第一部材と第二部材との相対回動に伴い、このカム部とカム係合部とが係脱可能となるように構成するとともに、このカム部とカム係合部とが係合していない状態から係合しようとする相対回動付勢力が生じるように構成したヒンジ装置において、前記第一連結体を前記カム部を収納し得る筒状体で構成し、この第一連結体の内面長さ方向にカム部の周面部に設けた凸部若しくは凹部が凹凸係止する係止条を設けて、この係止条にガイドされて前記第一連結体内をカム部が回り止め状態でスライド移動自在となるように構成し、前記第二連結体に前記第二部材に設けた取付凹部に回り止め状態に嵌挿連結し得る取付凸部を設け、この取付凸部を前記第二部材の取付凹部の断面形状と合致する断面多角形状として、前記第二部材に対して第二連結体を回り止め状態に連結し得るように構成し、この取付凸部の角部同士の間の周面を凹湾曲面としたことを特徴とするヒンジ装置。
【請求項４】
前記カム部の周面部に設けられる凸部をガイドする溝部を前記第一連結体の周面長さ方向に設けて、この溝部にガイドされて前記第一連結体内をカム部が回り止め状態で第一連結体の長さ方向にスライド移動自在となるように構成したことを特徴とする請求項１，３のいずれか１項に記載のヒンジ装置。
【請求項５】
前記取付凸部の角部同士の間の周面を平坦面ではなく内方に湾曲する凹湾曲面としたことを特徴とする請求項２，３のいずれか１項に記載のヒンジ装置。
【請求項６】
前記取付凸部を断面略三角形状とし、この前記取付凸部の角部同士の間の周面を平坦面ではなく内方に湾曲する凹湾曲面としたことを特徴とする請求項２，３，５のいずれか１項に記載のヒンジ装置。
【請求項７】
前記請求項１〜６のいずれか１項に記載のヒンジ装置を枢着部に設けたことを特徴とするヒンジ装置を用いた電子機器。
【請求項８】
前記第一部材若しくは第二部材としての蓋部若しくはフリップと、これに重合する前記第二部材若しくは第一部材としての本体部とを重合状態から所定開放角度まで開閉できるように枢着する枢着部に、前記請求項１〜７のいずれか１項に記載のヒンジ装置を用いた電子機器。
【発明の詳細な説明】
【０００１】
【発明の属する技術分野】
本発明は、ヒンジ装置並びにヒンジ装置を用いた電子機器に関するものである。
【０００２】
【従来の技術及び発明が解決しようとする課題】
例えば、携帯式電子機器の典型例としての携帯式電話機においては、携帯式電話機器本体に表示画面を備えた表示体が折り畳み自在に取り付けられた折り畳みタイプと、携帯式電話機本体自体に表示画面を備えた一体タイプとがある。
【０００３】
この一体タイプは、軽量化と利便性の点で秀れるとされ、一方、スイッチの誤作動防止、コンパクト化、デザインの多様性などの点において折り畳みタイプは秀れるとされる。
【０００４】
ところで、この折り畳みタイプは、本体と表示体とがヒンジ装置を介して枢着される。
【０００５】
具体的には、このヒンジ装置は、表示体１に回り止め状態に連結する第一連結体３にカム部４を設け、本体２に回り止め状態に連結する第二連結体５に前記カム部４に係合するカム係合部６を設け、このカム部４とカム係合部６とが係合状態のとき表示体１と本体２とが回動ロックされるように構成し、前記カム係合部６に対して前記カム部４を係合離反方向にスライド移動自在に設けると共に、このカム部４を係合方向に付勢する係合付勢機構７を前記第一連結体３に設け、前記表示体１と第二部材２との相対回動に伴い、このカム部４とカム係合部６とが係脱可能となるように構成するとともに、このカム部４とカム係合部６とが係合していない状態から係合しようとする相対回動付勢力が生じるように構成したものである。尚、本実施例と同一構成部分には同一符号を付した。
【０００６】
ところで、この従来から提案されるヒンジ装置は、実際に本体２に対して表示体１を開閉回動させると、ガタついて雑音が発生するという問題点が指摘されている。
【０００７】
本出願人は、このヒンジ装置の回動時に生じる雑音の問題点に着目し、種々の実験を繰り返し行った結果、極めて商品価値の高い画期的なヒンジ装置並びにヒンジ装置を用いた電子機器を開発した。
【０００８】
【課題を解決するための手段】
添付図面を参照して本発明の要旨を説明する。
【０００９】
第一部材１と第二部材２とを枢着するヒンジ装置であって、第一部材１に回り止め状態に連結する第一連結体３にカム部４を設け、第二部材２に回り止め状態に連結する第二連結体５に前記カム部４に係合するカム係合部６を設け、このカム部４とカム係合部６とが係合状態のとき第一部材１と第二部材２とが回動ロックされるように構成し、前記カム係合部６に対して前記カム部４を係合離反方向にスライド移動自在に設けると共に、このカム部４を係合方向に付勢する係合付勢機構７を前記第一連結体３に設け、前記第一部材１と第二部材２との相対回動に伴い、このカム部４とカム係合部６とが係脱可能となるように構成するとともに、このカム部４とカム係合部６とが係合していない状態から係合しようとする相対回動付勢力が生じるように構成したヒンジ装置において、前記第一連結体３を前記カム部４を収納し得る筒状体で構成し、この第一連結体３の内面長さ方向にカム部４の周面部に設けた凸部８若しくは凹部が凹凸係止する係止条１１を設けて、この係止条１１にガイドされて前記第一連結体３内をカム部４が回り止め状態で第一連結体３の長さ方向にスライド移動自在となるように構成したことを特徴とするヒンジ装置に係るものである。
【００１０】
また、第一部材１と第二部材２とを枢着するヒンジ装置であって、第一部材１に回り止め状態に連結する第一連結体３にカム部４を設け、第二部材２に回り止め状態に連結する第二連結体５に前記カム部４に係合するカム係合部６を設け、このカム部４とカム係合部６とが係合状態のとき第一部材１と第二部材２とが回動ロックされるように構成し、前記カム係合部６に対して前記カム部４を係合離反方向にスライド移動自在に設けると共に、このカム部４を係合方向に付勢する係合付勢機構７を前記第一連結体３に設け、前記第一部材１と第二部材２との相対回動に伴い、このカム部４とカム係合部６とが係脱可能となるように構成するとともに、このカム部４とカム係合部６とが係合していない状態から係合しようとする相対回動付勢力が生じるように構成したヒンジ装置において、前記第二連結体５に前記第二部材２に設けた取付凹部２ａに回り止め状態に嵌挿連結し得る取付凸部９を設け、この取付凸部９を前記第二部材２の取付凹部２ａの断面形状と合致する断面多角形状として、前記第二部材２に対して第二連結体５を回り止め状態に連結し得るように構成し、この取付凸部９の角部９ａ同士の間の周面９ｂを凹湾曲面としたことを特徴とするヒンジ装置に係るものである。
【００１１】
また、第一部材１と第二部材２とを枢着するヒンジ装置であって、第一部材１に回り止め状態に連結する第一連結体３にカム部４を設け、第二部材２に回り止め状態に連結する第二連結体５に前記カム部４に係合するカム係合部６を設け、このカム部４とカム係合部６とが係合状態のとき第一部材１と第二部材２とが回動ロックされるように構成し、前記カム係合部６に対して前記カム部４を係合離反方向にスライド移動自在に設けると共に、このカム部４を係合方向に付勢する係合付勢機構７を前記第一連結体３に設け、前記第一部材１と第二部材２との相対回動に伴い、このカム部４とカム係合部６とが係脱可能となるように構成するとともに、このカム部４とカム係合部６とが係合していない状態から係合しようとする相対回動付勢力が生じるように構成したヒンジ装置において、前記第一連結体３を前記カム部４を収納し得る筒状体で構成し、この第一連結体３の内面長さ方向にカム部４の周面部に設けた凸部８若しくは凹部が凹凸係止する係止条１１を設けて、この係止条１１にガイドされて前記第一連結体３内をカム部４が回り止め状態でスライド移動自在となるように構成し、前記第二連結体５に前記第二部材２に設けた取付凹部２ａに回り止め状態に嵌挿連結し得る取付凸部９を設け、この取付凸部９を前記第二部材２の取付凹部２ａの断面形状と合致する断面多角形状として、前記第二部材２に対して第二連結体５を回り止め状態に連結し得るように構成し、この取付凸部９の角部９ａ同士の間の周面９ｂを凹湾曲面としたことを特徴とするヒンジ装置に係るものである。
【００１２】
また、前記カム部４の周面部に設けられる凸部８をガイドする溝部１１を前記第一連結体３の周面長さ方向に設けて、この溝部１１にガイドされて前記第一連結体３内をカム部４が回り止め状態で第一連結体３の長さ方向にスライド移動自在となるように構成したことを特徴とする請求項１，３のいずれか１項に記載のヒンジ装置に係るものである。
【００１３】
また、前記取付凸部９の角部９ａ同士の間の周面９ｂを平坦面ではなく内方に湾曲する凹湾曲面としたことを特徴とする請求項２，３のいずれか１項に記載のヒンジ装置に係るものである。
【００１４】
また、前記取付凸部９を断面略三角形状とし、この前記取付凸部９の角部９ａ同士の間の周面９ｂを平坦面ではなく内方に湾曲する凹湾曲面としたことを特徴とする請求項２，３，５のいずれか１項に記載のヒンジ装置に係るものである。
【００１５】
また、前記請求項１〜６のいずれか１項に記載のヒンジ装置を枢着部に設けたことを特徴とするヒンジ装置を用いた電子機器に係るものである。
【００１６】
また、前記第一部材１若しくは第二部材２としての蓋部若しくはフリップと、これに重合する前記第二部材２若しくは第一部材１としての本体部とを重合状態から所定開放角度まで開閉できるように枢着する枢着部に、前記請求項１〜７のいずれか１項に記載のヒンジ装置を用いた電子機器に係るものである。
【００１７】
【発明の実施の形態】
好適と考える本発明の実施の形態（発明をどのように実施するか）を、図面に基づいてその作用効果を示して簡単に説明する。
【００１８】
カム部４とカム係合部６が係合することで第一部材１と第二部材２とは回動ロックされる。このカム係合部６に対してカム部４は、係合付勢機構７により係合付勢されている為、このカム係合部６に対するカム部４が係合した回動ロック状態は保持される。
【００１９】
即ち、例えば、第一部材１と第二部材２とが重合した閉塞状態において、カム部４とカム係合部６とが係合した状態となるようにした場合、係合付勢機構７により係合付勢されているカム部４とカム係合部６との係合カム力によって例えばカム部４とカム係合部６が係脱する位置まで回動しない限り閉塞付勢されることになる。
【００２０】
ところで、本発明は、第一連結体３をカム部４を収納し得る筒状体で構成し、この第一連結体３の内面長さ方向にカム部４の周面部に設けた凸部８若しくは凹部が凹凸係止する係止条１１を設けて、この係止条１１にガイドされて前記第一連結体３内をカム部４が回り止め状態で第一連結体３の長さ方向にスライド移動自在となるように構成している。
【００２１】
これは、従来から提案されるヒンジ装置で指摘される、第一部材１と第二部材２との相対回動に際して生じる雑音を可及的に抑制することに貢献する。
【００２２】
即ち、従来から提案されるヒンジ装置のように、単に筒状の第一連結体３の内周面に沿って該第一連結体３の断面形状と同一断面形状に設定されたカム部４が回り止め状態でスライド移動する構成であった場合、この第一連結体３内でのカム部４の円滑なスライドを可能とし且つ良好な回り止めを達成しようとする場合には、非常に精度の高い成形が必要となるが、これは実質不可能であり、しかも、カム部４は樹脂成形品であるが故に、時間の経過と共に劣化して痩せてしまい、結局、第一連結体３の内周面との間に隙間が生じてしまう。
【００２３】
従って、従来から提案されるヒンジ装置は、第二部材２に対して第一部材１を回動させた際、第一連結体３内でカム部４が回動することでガタついて雑音が生じている。
【００２４】
この点、本発明は、第一連結体３の内面長さ方向に形成された係止条１１にガイドさせてカム部４をスライドさせる構成であるから、つまり、カム部４をガイドする部位を比較的成形精度の出し易い直線状の係止条１１を形成することで構成したから、カム部４の良好なスライド機能と良好な回り止め機能とを達成し得る高品位な製品が簡易且つ確実に得られることになり、よって、第一連結体３内でカム部４がガタつくのを可及的に抑制することができ、第二部材２に対して第一部材１を回動させた際における雑音が可及的に抑制されることになる。
【００２５】
また、第二連結体５に第二部材２に設けた取付凹部２ａに回り止め状態に嵌挿連結し得る取付凸部９を設け、この取付凸部９を前記第二部材２の取付凹部２ａの断面形状と合致する断面多角形状として、前記第二部材２に対して第二連結体５を回り止め状態に連結し得るように構成し、この取付凸部９の角部９ａ同士の間の周面９ｂを凹湾曲面とした場合には、第二部材２に対する第二連結体５の堅固な回り止め状態での連結が達成されるのは勿論、この第二部材２と第二連結体５との連結部位における第二部材２に対する第一部材１の回動時に生じ得る雑音を抑制し得ることになる。
【００２６】
即ち、この取付凸部９の角部９ａ同士の間の周面９ｂを凹湾曲面とすると、従来のようにこの周面が平坦面である場合に比し、第二部材２の取付凹部２ａと第二連結体５の取付凸部９との当接する表面積が大きくなるから、取付凹部２ａに嵌挿される取付凸部９が仮に痩せたとしても従来品に比して当接部分が多い故にガタつきが生じにくく、よって、それだけ雑音が可及的に抑制されることとなる。
【００２７】
また、カム部４の周面部に設けられる凸部８をガイドする溝部１１を第一連結体３の周面長さ方向に設けて、この溝部１１にガイドされて第一連結体３内をカム部４が回り止め状態で第一連結体３の長さ方向にスライド移動自在となるように構成した場合には、より具体的な構成から一層秀れたスライド機能と回り止め機能とが達成され、このことからより一層の雑音防止構造となる。
【００２８】
また、取付凸部９の角部９ａ同士の間の周面９ｂを平坦面ではなく内方に湾曲する凹湾曲面とした場合には、第二部材２の取付凹部２ａと第二連結体５の取付凸部９との当接する表面積が確実に大きくなり、このことからより一層の雑音防止構造となる。
【００２９】
また、取付凸部９を断面三角形状とし、この前記取付凸部９の角部９ａ同士の間の周面９ｂを平坦面ではなく内方に湾曲する凹湾曲面とした場合には、精度の高い成形と連結強度とを両立することになる。
【００３０】
具体的には、例えば取付凸部９の断面形状が六角形状や八角形状であった場合、それだけ凸部の径を大きくすることができるから堅固な連結強度が得られることになるが、その反面、角部が増えると成形精度が出しにくくなる為、ガタが生じ易く雑音が発生し易い連結構造となってしまう。とは言え、成形精度を出すことを優先して単なる板形状とした場合には、堅固な連結強度が得られなくなってしまう。
【００３１】
この点、取付凸部９の断面形状を断面三角形状とすることで、比較的成形精度が出し易く、且つ、堅固な連結強度が得られることになるから、雑音が発生しにくく良好な連結が達成されることになる。
【００３２】
【実施例】
本発明の具体的な実施例について図面に基づいて説明する。
【００３３】
本実施例は、図１に示すように折り畳みタイプの携帯電話に適用した場合を示したもので、表示画面を備えた表示体を第一部材１とし、操作部を備えた本体を第二部材２とし、この本体２に対して表示体１が重合した閉塞状態から表示体２を例えば１２０度まで回動した開放状態（通話状態）とすることができる枢着構造に本発明のヒンジ装置Ａを適用している。
【００３４】
また、本実施例では、表示体１の基部に取付凹部１ａを設け、本体２の基部にもこの取付凹部１ａと連通状態に隣接する取付凹部２ａを設け、この夫々の取付凹部１ａ，２ａに軸状パーツとして構成した本発明のヒンジ装置Ａを装着する構成としている。
【００３５】
具体的に説明すると、図示したように、前記表示体１には、前記取付凹部１ａに対して回り止め形状とした金属製の筒状体（ケーシング）を第一連結体３としてこの表示体１の取付凹部１ａに嵌挿して回り止め状態に固定しており、第一連結体３は断面略楕円形状（小判形状）に形成され、この第一連結体３の断面形状に合致する断面形状となるように表示体１に設けた取付凹部１ａも断面略楕円形状に形成されている。
【００３６】
また、第一連結体３には、その表裏面長さ方向に一対の溝部１１が形成されており、この溝部１１は後述するカム部４の凸部８が凹凸係止する係止条１１として構成されている。尚、係止条１１としては本実施例のように凹条に限らず凸条としても良く、この凸条の場合には、カム部４には凹部を設ける構成とする。
【００３７】
また、第一連結体３には、端部の対向位置に凹部４ａを有する合成樹脂製のカム部４が設けられており、このカム部４は、断面略楕円形状に形成されるとともに、その表裏面には一対の凸部８が形成され、この各凸部８が第一連結体３の長さ方向に形成された各係止条１１にガイドされることで第一連結体３内をスライド移動自在にして回り止め状態に設けられている。
【００３８】
また、第一連結体３には、軸部材１０が貫通形成され、この軸部材１０には前記カム部４がスライド移動自在にして回動自在に被嵌され、更に、この軸部材１０の他端部に止着ピン１２を介して合成樹脂製の第二連結体５が設けられ、この第二連結体５の内側には前記カム部４の凹部４ａと凹凸係合する一対の凸部６ａから成る係合カム部６が設けられている。
【００３９】
従って、第一連結体３内をスライド移動するカム部４は係合カム部６に対して係合離反方向にスライド移動自在となる。
【００４０】
また、第二連結体５は、その端部に前記本体２の基部に設けられた取付凹部２ａに嵌合連結し得る取付凸部９が設けられ、この取付凸部９を前記本体２に設けられた取付凹部２ａの断面形状と合致する断面三角形状の角柱形状として、前記本体２に対して回り止め状態に連結し得るように構成している。
【００４１】
また、この第二連結体５に設けた取付凸部９は、その各角部９ａ同士の間に位置する周面９ｂを内方軸芯方向に落ち込んだ状態の凹湾曲面としている。
【００４２】
従って、本体２の取付凹部２ａに対して第二連結体５の取付凸部９が当接する表面積を大きくすることができる。
【００４３】
また、第一連結体３内にしてカム部４と第一連結体３の一端閉塞部３ａとの間にはカム部４を係合方向に付勢するコイルバネ７を係合付勢機構として設けている。
【００４４】
従って、以上の構成からなるヒンジ装置Ａは、このカム部４とカム係合部６とが係合状態のとき表示体１と本体２とが回動ロックされ、本体２に対する表示体１の開閉回動に伴い、このカム部４とカム係合部６とが係脱するとともに、このカム部４とカム係合部６とが係合していない状態から係合しようとする相対回動付勢力が生じることになる。
【００４５】
本実施例は上述のように構成したから、第一連結体３の内面長さ方向に形成された係止条１１にガイドさせてカム部４をスライドさせる構成であるから、つまり、カム部４をガイドする部位を比較的成形精度の出し易い直線状の係止条１１を形成することで構成したから、カム部４の良好なスライド機能と良好な回り止め機能とを達成し得る高品位な製品が簡易且つ確実に得られることになり、よって、第一連結体３内でカム部４がガタつくのを可及的に抑制することができ、第二部材２に対して第一部材１を回動させた際における雑音が可及的に抑制されることになる。
【００４６】
また、本実施例は、第二連結体５に第二部材２に設けた取付凹部２ａに回り止め状態に嵌挿連結し得る取付凸部９を設け、この取付凸部９を前記第二部材２の取付凹部２ａの断面形状と合致する断面多角形状として、前記第二部材２に対して第二連結体５を回り止め状態に連結し得るように構成し、この取付凸部９の角部９ａ同士の間の周面９ｂを凹湾曲面としたから、第二部材２に対する第二連結体５の堅固な回り止め状態での連結が達成されるのは勿論、この第二部材２と第二連結体５との連結部位における、第二部材２に対する第一部材１の回動時に生じ得る雑音を抑制し得ることになる。
【００４７】
また、本実施例は、カム部４の周面部に設けられる凸部８をガイドする溝部１１を第一連結体３の周面長さ方向に設けて、この溝部１１にガイドされて第一連結体３内をカム部４が回り止め状態で第一連結体３の長さ方向にスライド移動自在となるように構成したから、より具体的な構成から一層秀れたスライド機能と回り止め機能とが達成され、このことからより一層の雑音防止構造となる。
【００４８】
また、本実施例は、取付凸部９の角部９ａ同士の間の周面９ｂを平坦面ではなく内方に湾曲する凹湾曲面としたから、第二部材２の取付凹部２ａと第二連結体５の取付凸部９との当接する表面積が確実に大きくなり、このことからより一層の雑音防止構造となる。
【００４９】
また、本実施例は、取付凸部９を断面三角形状とし、この前記取付凸部９の角部９ａ同士の間の周面９ｂを平坦面ではなく内方に湾曲する凹湾曲面としたから、精度の高い成形と連結強度とを両立することになり、このことからより一層の雑音防止構造となる。
【００５０】
尚、本発明は、本実施例に限られるものではなく、各構成要件の具体的構成は適宜設計し得るものである。
【００５１】
【発明の効果】
本発明は上述のように構成したから、第一連結体内でカム部がガタつくのを可及的に抑制することができ、第二部材に対して第一部材を回動させた際における雑音が可及的に抑制されることになるなど極めて商品価値の高い画期的なヒンジ装置となる。
【００５２】
また、請求項２記載の発明においては、第二部材に対する第二連結体の堅固な回り止め状態での連結が達成されるのは勿論、この第二部材と第二連結体との連結部位における、第二部材に対する第一部材の回動時に生じ得る雑音を可及的に抑制し得ることになるなど極めて商品価値の高い画期的なヒンジ装置となる。
【００５３】
また、請求項４記載の発明においては、より具体的な構成から一層秀れたスライド機能と回り止め機能とが達成され、このことからより一層の雑音防止構造となるなど極めて商品価値の高い画期的なヒンジ装置となる。
【００５４】
また、請求項５記載の発明においては、第二部材の取付凹部と第二連結体の取付凸部との当接する表面積が確実に大きくなり、このことからより一層の雑音防止構造となるなど極めて商品価値の高い画期的なヒンジ装置となる。
【００５５】
また、請求項６記載の発明においては、精度の高い成形と連結強度とを両立することになり、このことからより一層の雑音防止構造となるなど極めて商品価値の高い画期的なヒンジ装置となる。
【００５６】
また、請求項７，８記載の発明においては、最良の機能を発揮する画期的なヒンジ装置を具備した電子機器となる。
【図面の簡単な説明】
【図１】本実施例の使用状態説明図である。
【図２】本実施例の分解斜視図である。
【図３】本実施例に係る要部の説明断面図である。
【図４】本実施例に係る要部の説明断面図である。
【図５】本実施例を説明する斜視図である。
【図６】本実施例に係る要部の概略動作説明図である。
【符号の説明】
１　第一部材
２　第二部材
２ａ　取付凹部
３　第一連結体
４　カム部
５　第二連結体
６　カム係合部
７　係合付勢機構
８　凸部
９　取付凸部
９ａ　角部
９ｂ　周面
１１　係止条・溝部
【図１】
2004068939.tif 000003
【図２】
2004068939.tif 000004
【図３】
2004068939.tif 000005
【図４】
2004068939.tif 000006
【図５】
2004068939.tif 000007
【図６】
2004068939.tif 000008